(57)【要約】【課題】画像の管理を簡便に出来る撮像装置及びメモリカードを提供すること。【解決手段】撮像装置１０は、レンズ１１によって結ばれる像を撮影して画像を得る撮像素子１９と、前記撮像素子１９に対して、１度のレリーズ操作により複数回にわたって前記像を撮影させ、得られた複数の前記画像を１つの静止画形式のファイルとして半導体メモリ３０へ書き込む制御部１７とを具備する。【選択図】図１
2009071622.tif 000002
【特許請求の範囲】
【請求項１】
レンズによって結ばれる像を撮影して画像を得る撮像素子と、
前記撮像素子に対して、１度のレリーズ操作により複数回にわたって前記像を撮影させ、得られた複数の前記画像を１つの静止画形式のファイルとして半導体メモリへ書き込む制御部と
を具備することを特徴とする撮像装置。
【請求項２】
前記像の撮影時に、前記レンズに対して前記撮像素子を、前記像の入射方向に直交する方向に沿って移動させる手ぶれ補正部を更に備え、
前記制御部は前記撮像素子に対して、前記手ぶれ補正部が前記撮像素子を移動させている期間に、前記複数回にわたって前記像を撮影させる
ことを特徴とする請求項１記載の撮像装置。
【請求項３】
前記像の撮影時に、前記撮像素子と前記レンズとの距離を、前記像の入射方向に沿って変化させる焦点補正部を更に備え、
前記制御部は前記撮像素子に対して、前記焦点補正部が前記距離を変化させている期間に、前記複数回にわたって前記像を撮影させる
ことを特徴とする請求項１記載の撮像装置。
【請求項４】
前記撮像素子で得られた前記画像を表示可能な表示部を更に備え、
前記制御部は、１度のレリーズ操作により得られた複数の前記画像の集合である画像グループを、前記表示部に対して複数同時に表示させ、且つ
前記画像グループ毎に１枚の前記画像を前記表示部に優先的に表示させると共に、前記優先的に表示させる前記画像を、複数の前記画像グループ間で同時に変化させる
ことを特徴とする請求項１記載の撮像装置。
【請求項５】
データを保持可能な不揮発性半導体メモリと、
それぞれが静止画形式で圧縮された第１画像と第２画像とを受信し、前記第１、第２画像を前記静止画形式の１つのファイルとして前記不揮発性半導体メモリに書き込むコントローラと
を具備し、前記コントローラは、前記第１画像と前記第２画像とを、互いに異なる書き込み電圧を用いて前記不揮発性半導体メモリに書き込む
ことを特徴とするメモリカード。
【発明の詳細な説明】
【技術分野】
【０００１】
この発明は、撮像装置及びメモリカードに関する。例えば、メモリカードに画像データを記録するデジタルカメラに関する。
【背景技術】
【０００２】
近年のデジタルカメラ等の撮像装置には、自動露光、自動焦点、手ぶれ補正等、様々な機能が付加されている（例えば特許文献１参照）。しかしながら、このような高機能化が進むデジタルカメラにあっても、意図通りの写真が撮影出来ない、というユーザの大きな不満がある。
【０００３】
そこで、デジタルカメラの連写機能を利用して撮影を行った後、その中から気に入った写真を選ぶ、といったことがユーザにおいて行われている。この場合、連写によって撮影される写真の枚数が多いほど、好みの写真が撮影される可能性が高い。しかし、この場合には記録媒体に記録される写真の枚数が非常に多くなり、管理が煩雑になるという問題があった。
【０００４】
つまり、気に入った写真を選んだ後に、その他の写真を速やかに削除する場合には良いが、そうでなければ、記録媒体中には、連写によって撮影された、似たような写真が多く記録される。そのため、デジタルカメラの表示画面やＰＣ等で写真を閲覧する際には、同じような写真が続けて表示されたり、また記録媒体に非常に多数の画像ファイルが存在して管理が煩雑になったりするという問題があった。
【特許文献１】特開平１１−２９８７８６号公報
【発明の開示】
【発明が解決しようとする課題】
【０００５】
この発明は、画像の管理を簡便に出来る撮像装置及びメモリカードを提供する。
【課題を解決するための手段】
【０００６】
この発明の一態様に係る撮像装置は、レンズによって結ばれる像を撮影して画像を得る撮像素子と、前記撮像素子に対して、１度のレリーズ操作により複数回にわたって前記像を撮影させ、得られた複数の前記画像を１つの静止画形式のファイルとして半導体メモリへ書き込む制御部とを具備する。
【０００７】
また、この発明の一態様に係るメモリカードは、データを保持可能な不揮発性半導体メモリと、それぞれが静止画形式で圧縮された第１画像と第２画像とを受信し、前記第１、第２画像を前記静止画形式の１つのファイルとして前記不揮発性半導体メモリに書き込むコントローラとを具備し、前記コントローラは、前記第１画像と前記第２画像とを、互いに異なる書き込み電圧を用いて前記不揮発性半導体メモリに書き込む。
【発明の効果】
【０００８】
本発明によれば、画像の管理を簡便に出来る撮像装置及びメモリカードを提供出来る。
【発明を実施するための最良の形態】
【０００９】
以下、この発明の実施形態につき図面を参照して説明する。この説明に際し、全図にわたり、共通する部分には共通する参照符号を付す。
【００１０】
［第１の実施形態］  
この発明の第１の実施形態に係る撮像装置及びメモリカードについて、図１を用いて説明する。図１は、本実施形態に係るデジタルカメラ及びメモリカードのブロック図である。
【００１１】
図示するようにデジタルカメラ１０は、レンズ１１、撮像部１２、画像処理部１３、バッファメモリ１４、表示部１５、レリーズスイッチ１６、制御部１７、及びメモリカードスロット１８を備えている。
【００１２】
レンズ１１は、デジタルカメラ１０の撮影光学系を構成するものであり、光を集光して撮像部１２上に像を結ぶ。
【００１３】
撮像部１２は、レンズ１１によって結像された被写体像につき、撮影を行う。より具体的には、撮像部１２は撮像素子１９を備えている。撮像素子１９はＣＣＤ（charge coupled device）やＣＭＯＳセンサであり、被写体像を電気信号に変換して画像データを得る。そして撮像部１２内において、撮像素子１９で得られた画像データがアナログ信号からデジタル信号に変換される。
【００１４】
画像処理部１３は、撮像部１９でデジタル信号にされた画像データにつき所定の画像処理を行う。バッファメモリ１４は、画像処理部１３で処理された画像データを一時的に保持する。表示部１５は、例えば液晶ディスプレイ（ＬＣＤ）等であり、撮像部１２で撮影された写真を表示し、またデジタルカメラ１０の操作に関する表示を行う。レリーズスイッチ１６は、デジタルカメラ１０のユーザによるレリーズ操作を受け付ける。
【００１５】
制御部１７は、上記の撮像部１２、画像処理部１３、バッファメモリ１４、及び表示部１５の動作を制御する。制御部１７の動作の詳細については後述する。
【００１６】
メモリカードスロット１８には、メモリカード３０が挿入され、メモリカードスロット１８によって、メモリカード３０はデジタルカメラ１０に電気的に接続される。
【００１７】
次に、メモリカードスロット１８に挿入されるメモリカード３０の構成について、図１を参照しつつ説明する。図示するようにメモリカード３０は、ＮＡＮＤ型フラッシュメモリチップ（単にＮＡＮＤ型フラッシュメモリ、またはフラッシュメモリと呼ぶことがある）３１、フラッシュメモリチップ３１を制御するカードコントローラ３２、および複数の信号ピン（第１ピン乃至第９ピン）３３を備えている。
【００１８】
複数の信号ピン３３は、カードコントローラ３２と電気的に接続されている。複数の信号ピン３３における第１ピン乃至第９ピンに対する信号の割り当ては、例えば図２に示すようになっている。図２は、第１ピン乃至第９ピンと、それらに割り当てられた信号とを示す表である。
【００１９】
データ０乃至データ３は、第７ピン、第８ピン、第９ピン、および第１ピンにそれぞれ割り当てられている。第１ピンは、また、カード検出信号に対しても割り当てられている。さらに、第２ピンはコマンドに割り当てられ、第３ピンおよび第６ピンは接地電位Ｖssに、第４ピンは電源電位Ｖddに、第５ピンはクロック信号に割り当てられている。
【００２０】
デジタルカメラ１０は、これら第１ピン乃至第９ピンを介してメモリカード３０内のカードコントローラ３２と各種信号およびデータを通信する。例えば、メモリカード３０にデータが書き込まれる際には、デジタルカメラ１０は、書き込みコマンドを、第２ピンを介してカードコントローラ３２にシリアルな信号として送出する。このとき、カードコントローラ３２は、第５ピンに供給されているクロック信号に応答して、第２ピンに与えられる書き込みコマンドを取り込む。
【００２１】
ここで、前述したように、書き込みコマンドは、第２ピンのみを利用してカードコントローラ３２にシリアルに入力される。コマンドの入力に割り当てられている第２ピンは、図２に示すように、データ３用の第１ピンと接地電位Ｖss用の第３ピンとの間に配置されている。
【００２２】
フラッシュメモリ３１とカードコントローラ３２との間の通信は、ＮＡＮＤ型フラッシュメモリ用のインタフェースによって行われる。したがって、ここでは図示しないが、フラッシュメモリ３１とカードコントローラ３２とは例えば８ビットの入出力（Ｉ／Ｏ）線により接続されている。
【００２３】
例えば、カードコントローラ３２がフラッシュメモリ３１にデータを書き込む際には、カードコントローラ３２は、これらＩ／Ｏ線を介してデータ入力コマンド８０Ｈ、カラムアドレス、ページアドレス、データ、およびプログラムコマンド１０Ｈをフラッシュメモリ３１に順次入力する。ここで、コマンド８０Ｈの“Ｈ”は１６進数を示すものであり、実際には“１０００００００”という８ビットの信号が、８ビットのＩ／Ｏ線にパラレルに与えられる。つまり、このＮＡＮＤ型フラッシュメモリ用のインタフェースでは、複数ビットのコマンドがパラレルに与えられる。
【００２４】
また、ＮＡＮＤ型フラッシュメモリ用のインタフェースでは、フラッシュメモリ３１に対するコマンドとデータが同じＩ／Ｏ線を共用して通信されている。このように、ホスト機器２内のホストコントローラとメモリカード１とが通信するインタフェースと、フラッシュメモリ３１とカードコントローラ３２とが通信するインタフェースとは異なる。
【００２５】
次に、メモリカード３０の備えるカードコントローラ３２の内部構成について図３を用いて説明する。図３はカードコントローラ３２のブロック図である。
【００２６】
カードコントローラ３２は、フラッシュメモリ３１内部の物理状態（例えば、何処の物理ブロックアドレスに、何番目の論理セクタアドレスデータが含まれているか、あるいは、何処のブロックが消去状態であるか）を管理する。カードコントローラ３２は、ホストインタフェースモジュール４０、ＭＰＵ（Micro processing unit）４１、フラッシュコントローラ４２、ＲＯＭ（Read-only memory）４３、ＲＡＭ（Random access memory）２５、およびバッファ４５を有する。
【００２７】
ホストインタフェースモジュール４０は、カードコントローラ３２とホスト機器２との間のインタフェース処理を行う。
【００２８】
ＭＰＵ４１は、メモリカード３０全体の動作を制御する。ＭＰＵ４１は、例えばメモリカード３０が電源供給を受けたときに、ＲＯＭ４３に格納されているファームウェア（制御プログラム）をＲＡＭ４４上に読み出して所定の処理を実行することにより、各種のテーブルをＲＡＭ４４上に作成する。またＭＰＵ４１は、デジタルカメラ１０の制御部１７から書き込みコマンド、読み出しコマンド、消去コマンドを受け取り、フラッシュメモリ３１に対して所定の処理を実行したり、バッファ４５を通じたデータ転送処理を制御したりする。
【００２９】
ＲＯＭ４３は、ＭＰＵ４１により制御される制御プログラムなどを格納する。ＲＡＭ４４は、ＭＰＵ４１の作業エリアとして使用され、制御プログラムや各種のテーブル（表）を記憶する。フラッシュコントローラ４２は、カードコントローラ３２とフラッシュメモリ３１との間のインタフェース処理を行う。
【００３０】
バッファ４５は、デジタルカメラ１０から送られてくる画像データをフラッシュメモリ３１へ書き込む際に、一定量のデータ（例えば、１ページ分）を一時的に記憶したり、フラッシュメモリ３１から読み出されるデータをデジタルカメラ１０へ送り出す際に、一定量のデータを一時的に記憶したりする。
【００３１】
次に、ＮＡＮＤ型フラッシュメモリ３１の内部構成について簡単に説明する。図４はＮＡＮＤ型フラッシュメモリ３１のブロック図である。図示するようにＮＡＮＤ型フラッシュメモリ３１は、メモリセルアレイ５０、ロウデコーダ５１、及びページバッファ５２を備えている。
【００３２】
メモリセルアレイ５０は、複数のＮＡＮＤセル５３を備えている。ＮＡＮＤセル５３の各々は、例えば３２個のメモリセルトランジスタＭＴ０〜ＭＴ３１と、選択トランジスタＳＴ１、ＳＴ２とを備えている。以下、メモリセルトランジスタＭＴ０〜ＭＴ３１をそれぞれ区別しない場合には、単純にメモリセルトランジスタＭＴと呼ぶ。メモリセルトランジスタＭＴ０〜ＭＴ３１は、選択トランジスタＳＴ２のドレインと選択トランジスタＳＴ１のソースとの間に、その電流経路が直列接続されている。メモリセルトランジスタＭＴの各々は、半導体基板上にゲート絶縁膜を介在して形成された電荷蓄積層（例えばフローティングゲート）と、電荷蓄積層上にゲート間絶縁膜を介在して形成された制御ゲートとを有する積層ゲートを備えている。
【００３３】
選択トランジスタＳＴ２のソースはソース線ＳＬに共通接続され、選択トランジスタＳＴ１のドレインは、ビット線ＢＬ０〜ＢＬｍ（ｍは自然数）のいずれかに接続されている。以下、ビット線ＢＬ０〜ＢＬｍを区別しない場合には、単純にビット線ＢＬと呼ぶ。また、同一メモリブロックＢＬＫ内のメモリセルトランジスタＭＴ０〜ＭＴ３１の制御ゲートは、それぞれワード線ＷＬ０〜ＷＬ３１に接続されている。また選択トランジスタＳＴ１、ＳＴ２のゲートは、それぞれセレクトゲート線ＳＧＤ、ＳＧＳに接続されている。  
上記構成において、いずれかのワード線ＷＬに接続された（ｍ＋１）個のメモリセルトランジスタＭＴには、一括してデータが書き込まれる。この一括してデータが書き込まれる単位を「ページ」と呼ぶ。また、メモリセルアレイ１０内の全メモリセルトランジスタＭＴは、一括してデータが消去される。
【００３４】
ロウデコーダ５１は、カードコントローラ３２から与えられるロウアドレス信号に従って、メモリセルアレイ５０中におけるいずれかのワード線ＷＬを選択する。そして、書き込み時及び読み出し時には、選択したワード線ＷＬに対して電圧を印加する。
【００３５】
ページバッファ５２は、メモリセルアレイ５０へのデータ入出力を行い、データを一時的に保持する。ページバッファ５２とメモリセルアレイ５０との間のデータの入出力は、複数のデータ単位、すなわち前述の通りページ単位で行われる。
【００３６】
次に、上記構成のデジタルカメラ１０における写真の撮影動作と、撮影した写真の記録動作について説明する。図５は、写真撮影時の動作のフローチャートである。
【００３７】
図示するように、まずレリーズスイッチ１６に対してレリーズ操作が行われる（ステップＳ１０）。すると、レリーズスイッチ１６からレリーズ操作が行われた旨の信号が制御部１７に対して与えられる。
【００３８】
すると、制御部１７が撮像部１２に対して、複数枚の写真を時間的に連続して撮影させる旨の命令を出力する（ステップＳ１１）。この命令に従って、撮像部１２は写真を撮影する。すなわち、１回のレリーズ操作により、複数枚の写真が連続して撮影される。
【００３９】
撮影の後、撮像部１２で得られた画像データは、制御部１７の命令に従って、画像処理部１３で画像処理され、その後バッファメモリ１４へ転送される（ステップＳ１２）。この時点において、各画像データは、例えばＪＰＥＧ（Joint Photographic Experts Group）形式等の静止画形式に圧縮される。
【００４０】
図６は、ＪＰＥＧ方式により圧縮された画像データの内部構成の模式図である。図示するように、例えば１回のレリーズ操作によって、５枚の写真が撮影されたと仮定する。そして、それぞれの写真の画像データを画像データＰＩＣＴ１−１〜ＰＩＣＴ１−５と呼ぶことにする。各画像データＰＩＣＴ１−１〜ＰＩＣＴ１−５における最初のデータは、ＪＰＥＧ形式におけるスタートコードである“ＦＦＤ８”であり、最後のデータはエンドコードである“ＦＦＤ９”である。スタートコードとは、ここから画像データが始まる旨のコードであり、エンドコードとは、画像データがここで終わる旨のコードである。従って、スタートコードからエンドコードまでの間のデータにより、画像データが構成されている。
【００４１】
その後、複数枚の写真の画像データは、メモリカード３０に記録される。この際、制御部１７は、複数枚の写真の画像データを単一のデータとして、バッファメモリ１４からメモリカード３０へ転送する（ステップＳ１３）。図７は、デジタルカメラ１０のバッファメモリ１４からメモリカード３０のホストインタフェースモジュール４０に転送される信号の模式図である。
【００４２】
図示するように、まずデジタルカメラ１０の制御部１７で生成された書き込みコマンドがメモリカード３０へ転送され、その後、ＮＡＮＤ型フラッシュメモリ３１に書き込むべきデータ、すなわち写真の画像データがメモリカード３０へ転送される。この際、ステップＳ１１で撮影された５枚の写真についての画像データＰＩＣＴ１−１〜ＰＩＣＴ１−５が連続して、１つの書き込みデータとしてメモリカードへ転送される。つまり、メモリカード３０に転送される書き込みデータ内には、ＪＰＥＧ形式のスタートコード“ＦＦＤ８”とエンドコード“ＦＦＤ９”との組み合わせが５つ含まれる。
【００４３】
ホストインタフェースモジュール４０で画像データを受け取ったカードコントローラ３２は、ＭＰＵ４１によって複数枚の写真の画像データを、１つの静止画形式、例えばＪＰＥＧ形式のファイル（以下、単にＪＰＥＧファイルと呼ぶことがある）として、ＮＡＮＤ型フラッシュメモリ３１に書き込む（ステップＳ１４）。その様子を図８に示す。図示するように、５枚の写真に対応する画像データＰＩＣＴ１−１〜ＰＩＣＴ１−５は、１つのＪＰＥＧファイル“ＰＩＣＴ１．ＪＰＧ”として、ＮＡＮＤ型フラッシュメモリ３１に書き込まれる。言い換えれば、メモリカード３０において使用されるＦＡＴ（file allocation table）ファイルシステムにおいて、画像データＰＩＣＴ１−１〜ＰＩＣＴ１−５が含まれるデータを、１つのＪＰＥＧファイルとして管理する。
【００４４】
この際、デジタルカメラ１０は、同一のＪＰＥＧファイルに含まれる５つの画像データのうち、いずれか１つを主画像として取り扱い、その他を副画像として取り扱う。主画像と副画像とでは、表示部１５における表示方法が異なるが、それについては後述する。
【００４５】
図９は、ＮＡＮＤ型フラッシュメモリ３１のメモリ空間の概念図であり、ＪＰＥＧファイル“ＰＩＣＴ１．ＪＰＧ”が格納されている領域について示している。カードコントローラ３２は、“ＰＩＣＴ１．ＪＰＧ”が読み出される際に、画像データＰＩＣＴ１−１〜ＰＩＣＴ１−５のうち主画像となる画像データＰＩＣＴ１−１が副画像ＰＩＣＴ１−２〜ＰＩＣＴ１−５よりも先に読み出されるように、ＮＡＮＤ型フラッシュメモリ３１に書き込み、管理する。図９の例では、画像データＰＩＣＴ１−１〜ＰＩＴＣ１−５の順でデータが格納される場合について示しているが、必ずしもこの順序には限られず、例えば画像データＰＩＣＴ１−２が画像データＰＩＣＴ１−１よりも先のアドレスに格納されても良い。但し、データの読み出し時には画像データＰＩＣＴ１−１が最初に読み出されるように、ＦＡＴファイルシステムによって管理されれば良い。
【００４６】
なお、複数の画像データＰＩＣＴ１−１〜ＰＩＣＴ１−５のうち、いずれを主画像とするかの判断は、デジタルカメラ１０で行ってもよいし、メモリカード３０で行っても良い。図１０は、上記判断がメモリカード１０で行われる際のＭＰＵ４１の動作のフローチャートである。図示するようにＭＰＵ４１は、例えば図７のようにして転送される画像データのうち、最初の画像データ（ステップＳ２０、ＹＥＳ）を主画像として取り扱う（ステップＳ２１）。そして最初の画像データでなければ（ステップＳ２０、ＮＯ）、副画像と判断する（ステップＳ２２）。
【００４７】
またデジタルカメラ１０が判断する際には、例えば主画像と副画像とで異なる書き込みコマンドを用意すれば良い。この様子を図１１に示す。図１１は、デジタルカメラ１０からメモリカード３０に転送される信号の模式図である。図示するように、例えば画像データＰＩＣＴ１−１が主画像とされる場合には、まず制御部１７は第１書き込みコマンドＷＣＭＤ１を発生した後に画像データＰＩＣＴ１−１をメモリカード３０へ転送する。引き続き制御部１７は、第２書き込みコマンドＷＣＭＤ２を発生した後に画像データＰＩＣＴ１−２〜ＰＩＣＴ１−５を転送する。この場合メモリカード３０では、第１書き込みコマンドＷＣＭＤ１の直後に転送された画像データを主画像と認識し、第２書き込みコマンドＷＣＭＤ２の直後に転送された画像データを副画像と認識する。
【００４８】
次に、デジタルカメラ１０の表示部１５における表示方法について説明する。表示部１５は、撮影した写真を表示することが可能である。この際、制御部１７が画像データをメモリカード３０からバッファメモリ１４に読み出すと共に、図示せぬメモリに保持させた画像再生アプリケーションを実行することにより、読み出した画像データを表示部１５に表示させる。
【００４９】
図１２は、表示部１５の例えばＬＣＤの画面の模式図であり、従来の写真再生アプリケーションを用いた際に表示部１５に写真を表示させた様子を示している。ここでは、３つのＪＰＥＧファイル“ＰＩＣＴ１．ＪＰＧ”、“ＰＩＣＴ２．ＪＰＧ”、及び“ＰＩＣＴ３．ＪＰＧ”が表示されている。従来、ＪＰＥＧ形式のファイルを読み込んで写真を表示する際、ファイル内の最初のスタートコード“ＦＦＤ８”と、最初のエンドコード“ＦＦＤ９”との間のデータのみが用いられる。従って、本実施形態のように１つのＪＰＥＧファイルに複数の画像データが含まれる場合には、そのうちの主画像のみが表示部１５に表示される。例えば、ＪＰＥＧファイル“ＰＩＣＴ１．ＪＰＧ”、“ＰＩＣＴ２．ＪＰＧ”、及び“ＰＩＣＴ３．ＪＰＧ”の主画像がそれぞれ“ＰＩＣＴ１−１”、“ＰＩＣＴ２−１”、“ＰＩＣＴ３−１”であったとすると、これらに対応する写真が表示部１５に表示される。
【００５０】
主画像だけでなく副画像を表示する際の制御部１７の動作（写真再生アプリケーション実行時の処理）について、図１３を用いて説明する。図１３は、制御部の動作のフローチャートである。図示するように、まず制御部１７がメモリカード３０からバッファメモリ１４にＪＰＥＧファイルを読み出す（ステップＳ３０）。引き続き制御部１７は、読み出したファイル内からスタートコード“ＦＦＤ８”を検索する（ステップＳ３１）。そして“ＦＦＤ８”が見つかった場合（ステップＳ３２、ＹＥＳ）、見つかったスタートコード“ＦＦＤ８”からエンドコード“ＦＦＤ９”までの間のデータを１枚の写真として認識する（ステップＳ３３）。ここまでの処理は従来のアプリケーションと同様である。そして、最初に見つかる写真が主画像となる。
【００５１】
本実施形態であると、ステップＳ３３の後、制御部１７は更にスタートコード“ＦＦＤ８”の検索を続ける（ステップＳ３４）。そして再びスタートコード“ＦＦＤ８”が見つかれば（ステップＳ３２、ＹＥＳ）、ステップＳ３３に進み、新たな別の写真として認識する。これが副画像である。この処理をステップＳ３０で読み込んだＪＰＥＧファイルの最終アドレスまで行った後（ステップＳ３２、ＮＯ）、制御部１７はステップＳ３３で認識した写真を表示部１５に表示させる（ステップＳ３５）。
【００５２】
図１４は、表示部１５の例えばＬＣＤ画面の模式図であり、図１３で説明した表示方法を用いて、表示部１５に写真を表示させた様子を示している。ここでは、３つのＪＰＥＧファイル“ＰＩＣＴ１．ＪＰＧ”、“ＰＩＣＴ２．ＪＰＧ”、及び“ＰＩＣＴ３．ＪＰＧ”が表示されており、各ファイルが５つの画像データを有する場合について示している。
【００５３】
図示するように、“ＰＩＣＴ１．ＪＰＧ”の写真として、主画像ＰＩＣＴ１−１の写真だけでなく、副画像ＰＩＣＴ１−２〜ＰＩＣＴ１−５の写真が表示部１５に表示される。“ＰＩＣＴ２．ＪＰＧ”及び“ＰＩＣＴ３．ＪＰＧ”も同様である。なお、図１４の例では、主画像と副画像とが重なって表示部１５に表示され、且つ主画像が最前面に表示されている場合について示している。しかし、各ファイルについての主画像と副画像との表示方法は図１４の例に限らず、例えば全ての画像が表示部１５内に同じようにして表示されていても良い。  
以上のようにして、撮像部１２で撮影された写真が表示部１５に表示される。
【００５４】
また、画像データがメモリカード３０からデジタルカメラ１０に転送される際、メモリカード３０内のカードコントローラ３２は、ＮＡＮＤ型フラッシュメモリ３２から正常に読み出すことが出来なかった画像データも、正常データとしてデジタルカメラ１０へ転送する。この場合には、デジタルカメラ１０内の写真再生アプリケーションにおいて、当該画像データが表示可能か否かの判断が行われる。判断の結果、当該画像データがＪＰＥＧ圧縮形式違反である、と判断された場合には、写真再生アプリケーションは当該画像データを表示部１５に表示させない。つまり、当該画像データの写真は当初から存在しなかったのと同等の扱いとする。この点について、図１５及び図１６を用いて説明する。図１５はＪＰＥＧファイル“ＰＩＣＴ１．ＪＰＧ”の内部構成を示す模式図であり、図１６は表示部１５における表示画面の模式図である。
【００５５】
図１５に示すように、メモリカード３０に記録された“ＰＩＣＴ１．ＪＰＧ”に含まれる５つの画像データのうち、画像データＰＩＣＴ１−４が破損していたとする。この場合であっても、カードコントローラ３２は５つの画像データＰＩＣＴ１−１〜ＰＩＣＴ１−５をデジタルカメラ１０へ転送する。
【００５６】
するとデジタルカメラ１０の制御部１７は、写真再生アプリケーション上において画像データＰＩＣＴ１−４がＪＰＥＧ圧縮形式違反と判断する。従って制御部１７は、図１６に示すように、表示部１５において画像データＰＩＣＴ１−４の写真を表示させず、画像データＰＩＣＴ１−１〜ＰＩＣＴ１−３、ＰＩＣＴ１−５の写真のみを表示させる。
【００５７】
上記のように、この発明の第１の実施形態に係るデジタルカメラ及びメモリカードであると、下記（１）及び（２）の効果が得られる。  
（１）デジタルカメラによって撮影した写真の管理を簡便に出来る（その１）。  
背景技術で述べたように、従来のデジタルカメラの連写機能を利用して撮影を行うと、似たような写真の画像ファイルが多数、記録媒体に保存され、写真の管理が煩雑となる問題があった。
【００５８】
しかし本実施形態に係る構成であると、制御部１７が、撮像部１２に対して１度のレリーズ操作により複数回にわたって被写体を撮影させ、撮影により得られた複数枚の写真を１つの静止画形式のファイルとしてメモリカード３０へ保存する。つまり、１度のレリーズ操作によって撮影された複数枚の写真は、メモリカード３０上においては１つのファイルとして管理される。従って、写真の管理が簡便となる。
【００５９】
また、写真は従来の静止画画像の形式、例えばＪＰＥＧ形式によりメモリカード３０に記録される。従って、図１２に示すように従来の写真再生アプリケーションにより、主画像の表示が可能である。また、図１３に示すような写真再生アプリケーションを用いれば、図１４に示すように主画像だけでなく副画像の表示も可能となり、ユーザはこれらの写真の中から気に入った写真を選択することが出来る。
【００６０】
（２）デジタルカメラの操作ストレスを軽減出来る。  
本実施形態に係る構成であると、図１５及び図１６を用いて説明したように、画像データが破損しているか否かの判断を、メモリカード３０では無くデジタルカメラ１０が行っている。従って、デジタルカメラ１０の操作ストレスを軽減出来る。本効果について、以下説明する。
【００６１】
デジタルカメラ１０で撮影した写真をＮＡＮＤ型フラッシュメモリ３１に書き込む場合、メモリコントローラ３２はその書き込みに失敗することがある。すなわち、メモリセルトランジスタＭＴに、本来書き込むべきデータとは異なるデータが書き込まれる場合がある。
【００６２】
しかし、ＮＡＮＤ型フラッシュメモリ３１は、図示せぬＥＣＣ（error-correcting code）回路を有しており、そのＥＣＣ機能によってデータを訂正（以下、エラー訂正）出来る。エラー訂正が可能な画像データであれば、写真を正常に表示することが出来るが、エラー訂正が不可能な程度に破損している場合、写真の表示自体が不可能な場合がある。
【００６３】
エラー訂正が出来なかった場合、メモリカード３０が不良データとしてデジタルカメラ１０に通知すると、デジタルカメラ１０とメモリカード３０との間のデータ転送自体にエラーであったことになる。従って、それ以降、デジタルカメラ１０はメモリカード３０との間の通信自体を停止してしまう場合がある。つまり、メモリカード３０へのアクセスが不可能となり、ユーザにとってデジタルカメラの操作のストレスとなる。
【００６４】
しかし、本実施形態に係る構成であると、ＥＣＣ回路でエラー訂正出来なかった画像データも、正常な画像データと同様にデジタルカメラ１０へ転送する。従って、デジタルカメラ１０からアクセスのなされたＪＰＥＧファイル内の画像データが破損していた場合であっても、メモリカード３０へのアクセスが不可能となることが無い。従って、デジタルカメラ１０の操作ストレスを軽減出来る。
【００６５】
更に、画像データが破損しているか否かの判断は、デジタルカメラ１０において行われる。破損の程度が軽微であれば、制御部１７は画像データをそのまま表示部１５に表示させる。しかし、破損の程度が重度であれば、例えば画像データのフォーマットがＪＰＥＧの形式を満たしていないような場合には、もはや写真を表示出来ない。そこで、このような画像データは、初めから無かったものとして取り扱い、制御部１７は表示部１５に表示させない。この点でも、ユーザにとって与えるストレスを軽減出来る。
【００６６】
なお、ＥＣＣ回路のエラー訂正能力が高いほど、デジタルカメラ１０で発見されるエラーの程度の重度のものが多くなる。なぜなら、軽微なエラーであればＥＣＣ回路で訂正可能だからである。従ってこの場合には、デジタルカメラにおいて、ＪＰＥＧ圧縮形式違反と判断される確率が高くなる。
【００６７】
［第２の実施形態］  
次に、この発明の第２の実施形態に係る撮像装置及びメモリカードについて説明する。本実施形態は、上記第１の実施形態において、主画像と副画像とでデータの書き込み条件を変えたものである。なお、本実施形態に係るデジタルカメラ及びメモリカードの構成や基本的な動作は第１の実施形態と同様であるので説明は省略し、以下では第１の実施形態と異なる点についてのみ説明する。図１７は、画像データがＮＡＮＤ型フラッシュメモリ３１に書き込まれる際の、カードコントローラ３２の動作のフローチャートである。
【００６８】
図示するように、まずホストインタフェースモジュール４０が、デジタルカメラ１０から転送される信号を受け取る（ステップＳ４０）。デジタルカメラから与えられる信号は、例えば第１の実施形態で説明した図７や図１１の構造を有している。
【００６９】
次にＭＰＵ４１が、ＮＡＮＤ型フラッシュメモリ３１に書き込むべきデータが主画像の画像データであるか否かを判断する（ステップＳ４１）。第１の実施形態で説明した通り、この判断は図７の場合のように画像データの転送順で判断しても良いし、または図１１の場合のように書き込みコマンド（図１１ではＷＣＭＤ１）に基づいて判断しても良い。
【００７０】
主画像の画像データであった場合には（ステップＳ４２、ＹＥＳ）、ＭＰＵ４１は画像データを、書き込み信頼性の高い方法によりＮＡＮＤ型フラッシュメモリ３１へ書き込む（ステップＳ４３）。なお「書き込み信頼性が高い」とは、メモリセルトランジスタＭＴへのデータの「書き込み成功率が高い」なる意味である。
【００７１】
他方、副画像の画像データであった場合には（ステップＳ４２、ＮＯ）、ＭＰＵ４１は画像データを、主画像の場合よりも書き込み信頼性の低い方法により、ＮＡＮＤ型フラッシュメモリ３１へ書き込む（ステップＳ４４）。
【００７２】
書き込み信頼性を変える具体的な方法は適宜選択出来るが、例えば書き込み電圧Ｖpgmを変化させる方法がある。図１８は、データの書き込み時においてワード線ＷＬに印加される書き込み電圧Ｖpgmの時間変化を示すグラフである。図示するようにＮＡＮＤ型フラッシュメモリでは、書き込み電圧Ｖpgmを少しずつ上昇させながら書き込み動作を行い、その度にベリファイを行う。この際の書き込み電圧Ｖpgmの変化量をステップアップ電圧ΔＶpgmと呼ぶことにする。
【００７３】
主画像を書き込む場合には、ステップアップ電圧ΔＶpgmを、比較的小さな値ΔＶpgm１に設定する。これに対して副画像を書き込む場合には、ΔＶpgm１よりも大きいΔＶpgm２に設定する。このように、主画像の書き込みの際にはステップアップ電圧を小さくすることで、副画像よりも書き込み成功率を向上出来る。他方、副画像の書き込みの際にはステップアップ電圧を大きくすることで、主画像よりも書き込み成功率は低下するが、主画像よりも高速な書き込みが可能となる。
【００７４】
また別な方法としては、書き込み電圧Ｖpgmの初期値Ｖinitを変える方法がある。主画像を書き込む場合には、初期値Ｖinitを、比較的小さな値ΔＶinit１に設定する。これに対して副画像を書き込む場合には、ΔＶinit１よりも大きいΔＶinit２に設定する。この結果、主画像の書き込み成功率を副画像よりも高く出来る。他方、副画像の書き込み成功率は主画像よりも低下するが、主画像よりも高速な書き込みが可能となる。
【００７５】
更に別な方法としては、ベリファイの精度を、副画像に対しては主画像よりも粗く行うといった方法を用いても良い。
【００７６】
以上のように、この発明の第２の実施形態に係るデジタルカメラ及びメモリカードであると、上記第１の実施形態で説明した（１）及び（２）の効果に加えて、下記（３）の効果が得られる。  
（３）写真の高速な記録が可能となり、撮影機会を確保出来る。  
従来のデジタルカメラであると、画像データは全て、その書き込み成功率や書き込み速度の点で同じ条件によりＮＡＮＤ型フラッシュメモリ３１に書き込まれる。そして通常、書き込み成功率と書き込み速度とはトレードオフの関係にある。従って、撮影した写真の欠損を防止するためには、書き込みを丁寧に行わなければならず、写真の記録に比較的長い時間がかかる。特に、連写機能により複数の写真を一度に撮影する場合には、写真の記録に長時間を要するという問題があった。
【００７７】
これに対して本実施形態であると、カードコントローラ３２は、第１の書き込み方法により主画像をＮＡＮＤ型フラッシュメモリ３１へ書き込み、第２の書き込み方法により副画像をＮＡＮＤ型フラッシュメモリ３１へ書き込む。第１の書き込み方法は、第２書き込み方法よりも書き込み成功率が高い書き込み方法であり、第２の書き込み方法は、第１の書き込み方法よりも書き込み速度の速い書き込み方法である。
【００７８】
従って、副画像の記録時間を短く出来、１度のレリーズ操作により撮影された複数の写真の記録時間を短縮出来る。その結果、次のレリーズ操作が可能となるタイミングを、従来に比べて早くすることが出来、ユーザにとっての撮影機会を増やすことが出来る。
【００７９】
勿論、副画像については書き込み成功率が低下するため、記録に失敗する可能性が高まる。しかし、第１の実施形態で説明したとおり、記録に失敗してＪＰＥＧ圧縮形式違反と判断された場合には表示部１５に表示されないため、ユーザはその存在を知ることがなく、ユーザのストレスが増大することは無い。また、主画像については記録に失敗する可能性が低いため、１度のレリーズ動作によって少なくとも主画像は高確率で記録に成功する。そしてユーザにとっては、１度のレリーズ動作によって撮影された写真が全て正常に記録されることよりも、そのうちの何枚かについての記録に失敗したとしても撮影機会が増えることの方が重要である。よって、本実施形態に係る構成とすることで、よりユーザにとって扱いやすいデジタルカメラが実現出来る。
【００８０】
［第３の実施形態］  
次に、この発明の第３の実施形態に係る撮像装置及びメモリカードについて説明する。本実施形態は、上記第１または第２の実施形態において、デジタルカメラ１０に手ぶれ補正機能を持たせたものである。図１９は、本実施形態に係るデジタルカメラ及びメモリカードのブロック図である。
【００８１】
図示するように本実施形態に係るデジタルカメラ１０は、上記第１の実施形態で説明した図１の構成において、更に手ぶれ補正部２０を備えている。手ぶれ補正部２０は、撮影部１２において連続して撮影が行われている期間に、撮像素子１９をその撮影面内において移動させる。
【００８２】
次に、本実施形態に係るデジタルカメラ１０による写真の撮影動作について、図２０を用いて説明する。図２０は、写真撮影時の動作のフローチャートである。
【００８３】
図示するように、まず第１の実施形態で説明したとおり、レリーズ操作が行われる（ステップＳ１０）。すると、制御部１７が手ぶれ補正部２０に対して、撮像素子１９を撮影面内方向のある軸（例えばこれをＸ軸と呼ぶ）に沿って移動させる（ステップＳ５０）。
【００８４】
また制御部１７は撮像部１２に対して、手ぶれ補正部２０によって撮像素子１９が移動されている期間に複数枚の写真を撮影するよう、命令を出力する（ステップＳ５１）。この命令に従って、撮像部１２は写真を撮影する。すなわち、１回のレリーズ操作により、複数枚の写真が連続して撮影される。
【００８５】
撮像部１２における撮影時の様子を図２１に示す。図２１は、レンズ１１、撮像素子１９、及び手ぶれ補正部２０の構成を示す概念図であり、撮像素子１９が移動する様子を示している。図２１では一例として、１度のレリーズ操作によって時刻ｔ１〜ｔ５の順で５枚の写真が撮影される場合を示している。また、図２１では便宜上、撮像素子１９が光軸方向に沿って異なる位置に示されているが、光軸方向に沿っては移動されない。
【００８６】
まず、時刻ｔ１において、撮像素子１９がある位置において撮影が行われる。次に時刻ｔ２において、撮像素子１９がＸ軸に沿ってプラス方向に移動している状態で撮影が行われる。次に時刻ｔ３において、撮像素子１９がＸ軸に沿って更にプラス方向に移動している状態で撮影が行われる。引き続き時刻ｔ４において、撮像素子１９がＸ軸に沿ってマイナス方向に移動している状態で撮影が行われ、最後に時刻ｔ５において、撮像素子１９がＸ軸に沿って更にマイナス方向に移動している状態で撮影が行われる。
【００８７】
撮影が終了すると、第１の実施形態で説明したステップＳ１２に進む。その他の構成及び動作は、上記第１または第２の実施形態と同様であるので説明は省略する。
【００８８】
以上のように、この発明の第３の実施形態に係るデジタルカメラ及びメモリカードであると、上記第１、第２の実施形態で説明した（１）乃至（３）の効果に加えて、下記（４）の効果が得られる。  
（４）より精度の高い手ぶれ補正機能を実現出来る。  
本実施形態に係るデジタルカメラ１０であると、静止画を連続して撮影している期間に、手ぶれ補正部２０が撮像素子１９に対して能動的に、周期性の移動速度を与えている。従って、連続撮影中において、被写体が静止して撮影出来るチャンスを作り出すことが出来、精度の高い手ぶれ補正機能を実現出来る。本効果について、図２２を用いて説明する。図２２は、横軸に時間を取り、縦軸に撮像素子に与えられる移動速度、手ぶれの速度を取ったグラフである。図中において、白抜き丸印が撮影するタイミングを示す。
【００８９】
図示するように、撮像素子１９に対して時間によって変化する速度が与えられる。他方、ある大きさと変化を伴う手ぶれがデジタルカメラ１０に発生する。すると、ある時点において（例えば時刻ｔ１０）、撮像素子１９に与えられた速度と、手ぶれによって生じる速度とが相殺され、またはほぼ相殺される。従って、手ぶれが補正された写真が得られる。このことは手ぶれだけでなく、被写体ぶれの場合についても同様である。
【００９０】
なお制御部１７は、手ぶれ補正部２０によって撮像素子１９に速度が与えられている期間に、等間隔で撮影が行われるように撮像部１２に対して命令しても良いし、予め定められたタイミングで撮影が行われるように命令しても良い。但し撮影タイミングは、図２２において少なくとも、撮像素子１９に与えられる速度がプラス方向である時点で１回、マイナス方向である時点で１回、設けられることが望ましい。
【００９１】
また、上記実施形態では撮像素子１９がある一方向（Ｘ軸）に沿ってのみ移動される場合について説明した。しかし、図２３に示すようにＸ軸に直交するＹ軸に沿って移動させても良い。図２３は、レンズ１１と撮像素子１９の構成を示す模式図である。図示するように、撮像面内におけるＸ軸とＹ軸との両方に沿って撮像素子１９が移動されても良い。この場合には、デジタルカメラ１０に対する横方向、縦方向、及び斜め方向の手ぶれや被写体ぶれを補正出来る。更に、本実施形態における主画像は、最初に撮影された写真であっても良いし、または最も手ぶれまたは被写体ぶれの少ない写真であっても良い。ぶれの多い／少ないは、例えば制御部１７において、画像データ内のコントラストを見ることで判断出来る。すなわち、ぶれが少ない画像データであれば、よりコントラストが大きくなるため、写真内におけるコントラストが最も大きい画像データを主画像とすれば良い。
【００９２】
［第４の実施形態］  
次に、この発明の第４の実施形態に係る撮像装置及びメモリカードについて説明する。本実施形態は、上記第１または第２の実施形態において、デジタルカメラ１０に焦点補正機能を持たせたものである。図２４は、本実施形態に係るデジタルカメラ及びメモリカードのブロック図である。
【００９３】
図示するように本実施形態に係るデジタルカメラ１０は、上記第１の実施形態で説明した図１の構成において、更に焦点補正部２１を備えている。焦点補正部２１は、撮影部１２において連続して撮影が行われている期間に、レンズ１１と撮像素子１９との距離を、その光軸方向において移動させる。つまり、焦点位置を変える。本実施形態では、レンズ１１の位置が固定され、撮像素子１９の位置が焦点補正部２１によって変化される場合を例に説明するが、焦点位置が変化されさえすれば良い。従って、例えば撮像素子１１の位置が固定され、レンズ１１の位置が焦点補正部２１によって光軸方向に変化されても良いし、両者の位置が光軸方向に沿って変化されても良い。
【００９４】
次に、本実施形態に係るデジタルカメラ１０による写真の撮影動作について、図２５を用いて説明する。図２５は、写真撮影時の動作のフローチャートである。
【００９５】
図示するように、まず第１の実施形態で説明したとおり、レリーズ操作が行われる（ステップＳ１０）。すると、制御部１７が焦点補正部２１に対して、撮像素子１９を光軸方向（例えばこれをＺ軸と呼ぶ）に沿って移動させる（ステップＳ６０）。
【００９６】
また制御部１７は撮像部１２に対して、焦点補正部２１によって撮像素子１９が移動されている期間に複数枚の写真を撮影するよう、命令を出力する（ステップＳ６１）。この命令に従って、撮像部１２は写真を撮影する。すなわち、１回のレリーズ操作により、複数枚の写真が連続して撮影される。
【００９７】
撮像部１２における撮影時の様子を図２６に示す。図２６は、レンズ１１、撮像素子１９、及び焦点補正部２１の構成を示す概念図であり、撮像素子１９が移動する様子を示している。図２６では一例として、１度のレリーズ操作によって時刻ｔ１〜ｔ５の順で５枚の写真が撮影される場合を示している。
【００９８】
まず、時刻ｔ１において、撮像素子１９がある位置において撮影が行われる。次に時刻ｔ２において、撮像素子１９がＺ軸に沿ってレンズ１１から遠ざかる方向に移動された状態で撮影が行われる。次に時刻ｔ３において、撮像素子１９がＺ軸に沿ってレンズ１１から更に遠ざかる方向に移動された状態で撮影が行われる。以下、時刻ｔ４、ｔ５においても同様に撮影が行われる。
【００９９】
撮影が終了すると、第１の実施形態で説明したステップＳ１２に進む。その他の構成及び動作は、上記第１または第２の実施形態と同様であるので説明は省略する。
【０１００】
以上のように、この発明の第４の実施形態に係るデジタルカメラ及びメモリカードであると、上記第１、第２の実施形態で説明した（１）乃至（３）の効果に加えて、下記（５）の効果が得られる。  
（５）焦点の合った撮影が可能となる。  
本実施形態に係るデジタルカメラ１０であると、静止画を連続して撮影している期間に、焦点補正部２１がレンズ１１と撮像素子１９との間の距離を変化させる。従って、連続撮影中において、被写体に焦点が合った撮影チャンスを作り出すことが出来る。本効果について、図２７を用いて説明する。図２７は、横軸に時間を取り、縦軸に撮像素子の移動距離（レンズ１１と撮像素子１９との間の距離）を取ったグラフである。図中において、白抜き丸印が撮影するタイミングを示す。
【０１０１】
図示するように、撮影開始と共に、レンズ１１と撮像素子１９との間の距離が変化する。すると、ある時点において（例えば時刻ｔ５）、被写体との焦点が合う、またはほぼ合う。従って、被写体と焦点のあった写真が得られる。
【０１０２】
なお制御部１７は、焦点補正部２１によって焦点位置が変化されている期間に、等間隔で撮影が行われるように撮像部１２に対して命令しても良いし、予め定められたタイミングで撮影が行われるように命令しても良い。
【０１０３】
また、本実施形態における主画像は、最初に撮影された写真であっても良いし、または最も焦点のあっている写真であっても良い。焦点が合っているか否かは、第３の実施形態と同様に、例えば制御部１７において画像データ内のコントラストを見ることで判断出来る。すなわち、焦点が合っている画像データであれば、よりコントラストが大きくなるため、写真内におけるコントラストが最も大きい画像データを主画像とすれば良い。
【０１０４】
更に、本実施形態は第３の実施形態と組み合わせることも可能である。すなわち、図２４の構成において、更に手ぶれ補正部２０を設けても良い。この場合には、図２８に示すように、撮像素子１９がＸ軸、Ｙ軸、及びＺ軸に沿って移動される。そして、第３の実施形態で説明した（４）の効果を併せて得られる。
【０１０５】
［第５の実施形態］  
次に、この発明の第５の実施形態に係る撮像装置及びメモリカードについて説明する。本実施形態は、上記第１乃至第４の実施形態における写真再生アプリケーションに関するものである。図２９は、本実施形態に係るデジタルカメラ及びメモリカードのブロック図である。
【０１０６】
図示するように本実施形態に係るデジタルカメラ１０は、上記第１の実施形態で説明した図１の構成において、更にコントロールキー２２を備えている。勿論、第３の実施形態で説明した手ぶれ補正部２０や第４の実施形態で説明した焦点補正部２１を有していても良い。コントロールキー２２は、写真を表示部１５で閲覧する際に、ユーザからの種々の指示を受け付ける。その他の構成及び撮影動作は、上記第１乃至第４の実施形態で説明した通りであるので、説明は省略する。
【０１０７】
次に、写真を表示部１５で閲覧する際のデジタルカメラ１０の動作について、図３０を用いて説明する。図３０は、デジタルカメラ１０において、写真再生アプリケーションを実行する際の動作を示すフローチャートである。
【０１０８】
図示するように、ユーザからの指示をコントロールキー２２が受け付けたことを受けて、制御部１７は写真撮影モードから写真表示モードとなる（ステップＳ７０）。これにより、制御部１７は写真再生アプリケーションを実行する。
【０１０９】
まず、制御部１７はメモリカード３０から画像ファイルをバッファメモリ１４へ読み出す（ステップＳ７１）。読み出される画像ファイルは、第１乃至第４の実施形態で説明したように、主画像と副画像とを含む例えばＪＰＥＧファイルである。一例として、バッファメモリ１４へ読み出されるファイルが図３１のようであったと仮定する。図３１は、ＪＰＥＧファイルの構成を示す概念図である。
【０１１０】
図示するように、メモリカード３０から３つのＪＰＥＧファイル“ＰＩＣＴ１．ＪＰＧ”、“ＰＩＣＴ２．ＪＰＧ”、及び“ＰＩＣＴ３．ＪＰＧ”が読み出される。ＪＰＥＧファイル“ＰＩＣＴ１．ＪＰＧ”は、５つの画像データＰＩＣＴ１−１〜ＰＩＣＴ１−５を含み、主画像はＰＩＣＴ１−１である。ＪＰＥＧファイル“ＰＩＣＴ２．ＪＰＧ”は、５つの画像データＰＩＣＴ２−１〜ＰＩＣＴ２−５を含み、主画像はＰＩＣＴ２−１である。ＪＰＥＧファイル“ＰＩＣＴ３．ＪＰＧ”は、５つの画像データＰＩＣＴ３−１〜ＰＩＣＴ３−５を含み、主画像はＰＩＣＴ３−１である。
【０１１１】
更に制御部１７は、表示部１５に選択バーとカーソルとを表示させる（ステップＳ７２）。この際の表示部１５の様子を図３２に示す。図３２は、表示部１５の表示画面の模式図である。図示するように、選択バー６０は、選択バー６０内のポジションが、表示すべき画像データに対応したものであり、カーソル６１はそのうちのいずれかのポジションを選択するものである。本例の場合、各ＪＰＥＧファイルにつき表示すべき写真の最大枚数は５枚であるので、選択バー６０内のポジション数も５個である。以下、この５つのポジションを区別する場合には、ポジションＰ１〜Ｐ５と呼ぶことにする。
【０１１２】
また制御部１７は、各ＪＰＥＧファイル内の画像データと、選択バー６０のポジションとを対応づける（ステップＳ７３）。この処理は、選択バー６０の各ポジションがカーソル６１によって選択された場合に、いずれの画像データを表示させるかを決めるものである。そのために制御部１７は、例えば図３３に示す対応テーブルを保持する。図３３の例であると、選択バー６０のポジションＰ１〜Ｐ５は、ＪＰＥＧファイル“ＰＩＣＴ１．ＪＰＧ”においては画像データＰＩＣＴ１−１〜ＰＩＣＴ１−５にそれぞれ対応し、ＪＰＥＧファイル“ＰＩＣＴ２．ＪＰＧ”においては画像データＰＩＣＴ２−１〜ＰＩＣＴ２−５にそれぞれ対応し、ＪＰＥＧファイル“ＰＩＣＴ３．ＪＰＧ”においては画像データＰＩＣＴ３−１〜ＰＩＣＴ３−５にそれぞれ対応する。好ましくは、主画像となる画像データがポジションＰ１に対応づけられる。
【０１１３】
そして制御部１７は、カーソル６１によって選択された選択バー６０のポジションに対応する画像データを最前面にして、表示部１５に表示させる（ステップＳ７４）。写真表示モードの最初に選択されるポジションはポジションＰ１であり、主画像が表示される。この様子を図３４に示す。図３４は表示部１５の表示画面の模式図であり、カーソル６１によってポジションＰ１が選択された際の様子を示している。
【０１１４】
図示するように、各ＪＰＥＧファイル“ＰＩＣＴ１−１”、“ＰＩＣＴ１−２”、及び“ＰＩＣＴ１−３”に含まれる画像データは、ＪＰＥＧファイル毎に重ねて表示される。このうち、ポジションＰ１に対応する画像データＰＩＣＴ１−１、ＰＩＣＴ２−１、及びＰＩＣＴ３−１が最前面に表示されている。
【０１１５】
次に、ユーザによるカーソル６１の移動命令をコントロールキー２２で受け付けると（ステップＳ７５、ＹＥＳ）、それに伴って制御部１７は、各ＪＰＥＧファイルにつき一斉に、最前面に表示される画像データを変化させる（ステップＳ７４）。図３５は表示部１５の表示画面の模式図であり、カーソル６１によって選択されるポジションがポジションＰ１からポジションＰ３に変化した際の様子を示している。図示するように、ＪＰＥＧファイル“ＰＩＣＴ１．ＪＰＧ”について最前面に表示される写真は、画像データＰＩＣＴ１−１からＰＩＣＴ１−３に変化する。またＪＰＥＧファイル“ＰＩＣＴ２．ＪＰＧ”について最前面に表示される写真は、画像データＰＩＣＴ２−１からＰＩＣＴ２−３に変化する。更にＪＰＥＧファイル“ＰＩＣＴ３．ＪＰＧ”について最前面に表示される写真は、画像データＰＩＣＴ３−１からＰＩＣＴ３−３に変化する。このように、表示部１５に表示される写真が一斉に切り替わる。
【０１１６】
図３６は、カーソル６１によって選択されるポジションがポジションＰ３からポジションＰ５に変化した際の様子を示している。図示するように、ＪＰＥＧファイル“ＰＩＣＴ１．ＪＰＧ”、“ＰＩＣＴ２．ＪＰＧ”、及び“ＰＩＣＴ３．ＪＰＧ”について最前面に表示される写真は、それぞれ画像データＰＩＣＴ１−５、ＰＩＣＴ２−５、及びＰＩＣＴ３−５に一斉に切り替わる。
【０１１７】
以上のように、この発明の第５の実施形態に係るデジタルカメラ及びメモリカードであると、上記第１乃至第４の実施形態で説明した（１）乃至（５）の効果に加えて、下記（６）の効果が得られる。  
（６）デジタルカメラによって撮影した写真の管理を簡便に出来る（その２）。  
本実施形態に係るデジタルカメラであると、連続して撮影された複数の静止画を含む複数の画像ファイルを表示部１５に表示する際、各画像ファイルにつき、複数の静止画のうちのいずれかのみを主として（最前面に）表示させる。そして、ユーザからの指示を受け付けた際には、複数の画像ファイルにつき、主として表示させる静止画を一斉に切り替える。従って、複数の画像ファイルから目的とする写真を検索することが容易となり、写真の管理を簡便に出来る。
【０１１８】
［第６の実施形態］  
次に、この発明の第６の実施形態に係る撮像装置及びメモリカードについて説明する。本実施形態は、上記第５の実施形態における写真再生アプリケーションに改良を加えたものであり、特定の写真については表示の切り替えを行わないものである。図３７は、デジタルカメラ１０において写真再生アプリケーションを実行する際の動作を示すフローチャートの一部であり、上記第５の実施形態の方法に従って写真を表示中における処理を示している。
【０１１９】
まず、本実施形態に係る写真再生アプリケーションは、「選択固定」なる機能を有する。ユーザがこの機能を使用する場合には、その旨の指示をコントロールキー２２が受け付ける。いずれかの画像ファイルにつき選択固定がなされると（ステップＳ８０、ＹＥＳ）、制御部１７はカーソル６１によって指定されるポジションにかかわらず、以後、選択固定が解除されるまでの間、現在の写真の表示を継続する（ステップＳ８１）。
【０１２０】
上記の処理の様子を、以下、図３８及び図３９を用いて具体的に説明する。図３８及び図３９は、表示部１５の表示画面の模式図である。まず図３８に示すように、カーソル６１によってポジションＰ３が選択されることにより、表示部１５には画像データＰＩＣＴ１−３、ＰＩＣＴ２−３、及びＰＩＣＴ３−３が表示されていたとする。この状態でコントロールキー２２が、画像ファイル“ＰＩＣＴ１．ＪＰＧ”についての選択固定の命令を受け付けたとする。すると制御部１７は、以後選択固定が解除されない限り、画像ファイル“ＰＩＣＴ１．ＪＰＧ”については画像データＰＩＣＴ１−３を表示し続ける。
【０１２１】
例えば図３９に示すように、選択固定がなされた後に、カーソル６１によってポジションＰ５が選択されたとする。すると、画像ファイル“ＰＩＣＴ２．ＪＰＧ”及び“ＰＩＣＴ３．ＪＰＧ”については、表示される画像データはＰＩＣＴ２−５及びＰＩＣＴ３−５に切り替わる。しかし、画像ファイル“ＰＩＣＴ１．ＪＰＧ”については画像データＰＩＣＴ１−３が表示され続ける。
【０１２２】
以上のように、この発明の第６の実施形態に係るデジタルカメラ及びメモリカードであると、上記第１乃至第５の実施形態で説明した（１）乃至（６）の効果に加えて、下記（７）の効果が得られる。  
（７）デジタルカメラによって撮影した写真の管理を簡便に出来る（その３）。  
本実施形態に係るデジタルカメラであると、制御部１７は、ユーザによって選択されたいずれかの画像ファイルに含まれる写真の表示を、カーソル６１の位置に関わらず継続する。従って、例えばいずれかの画像ファイルにつき目的の写真が見つかった場合には、その画像ファイルについて表示を固定しつつ、他の画像ファイルの検索を行うことが出来る。そのため、複数の画像ファイルから目的とする写真を検索することが容易となり、写真の管理を簡便に出来る。
【０１２３】
以上のように、この発明の第１乃至第６の実施形態に係る撮像装置は、レンズ１１によって結ばれる像を撮影して画像を得る撮像素子１９と、撮像素子１９に対して、１度のレリーズ操作により複数回にわたって像を撮影させ、得られた複数の画像を１つの静止画形式のファイル（例えばＪＰＥＧファイル）として半導体メモリ３０へ書き込む制御部１７とを具備している。
【０１２４】
また、この発明の第２乃至第６の実施形態に係るメモリカード３０は、データを保持可能な不揮発性半導体メモリ３１と、撮像装置１０において複数回にわたって撮影された画像（画像データＰＩＣＴ１−１〜ＰＩＣＴ１−５）の集合である画像グループを撮像装置１０から受信すると共に、受信した画像グループを、静止画形式の１つのファイル（例えばＪＰＥＧファイル）として不揮発性半導体メモリ３１に書き込むコントローラ３２とを具備し、画像グループは第１画像（主画像）と第２画像（副画像）とを含み、コントローラ３２は、第１画像と第２画像とを、互いに異なる書き込み電圧（ΔＶpgm）を用いて不揮発性半導体メモリ３１に書き込む。
【０１２５】
これにより、デジタルカメラによって撮影した写真の管理を簡便に出来ると共に、デジタルカメラの操作ストレスを軽減出来る。更に、写真の高速な記録が可能となり、撮影機会を確保出来る。
【０１２６】
なお、上記実施形態では、写真再生アプリケーションがデジタルカメラ１０内で実行されることで、デジタルカメラ１０の表示部１５に写真が表示される場合について説明した。しかし、写真再生アプリケーションはパーソナルコンピュータ上で実行され、そのディスプレイに表示される場合であっても良い。
【０１２７】
また、撮影された写真が記録されるメディアがメモリカード３０である場合について説明したが、メモリカード３０に限らず、例えばＵＳＢメモリなどであっても良いし、またはデジタルカメラ１０内部に搭載された半導体メモリであっても良い。また半導体メモリは、ＮＡＮＤ型フラッシュメモリ３１に限らず、例えばＮＯＲ型フラッシュメモリなどの他のフラッシュメモリや、ＭＲＡＭや強誘電体メモリ等の不揮発性半導体メモリであっても良い。
【０１２８】
なお、本願発明は上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出されうる。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出されうる。
【図面の簡単な説明】
【０１２９】
【図１】この発明の第１の実施形態に係るデジタルカメラ及びメモリカードのブロック図。
【図２】この発明の第１の実施形態に係るメモリカードにおける信号ピンに対する信号割り当てを示す図。
【図３】この発明の第１の実施形態に係るメモリカードの備えるカードコントローラのブロック図。
【図４】この発明の第１の実施形態に係るメモリカードの備えるＮＡＮＤ型フラッシュメモリのブロック図。
【図５】この発明の第１の実施形態に係るデジタルカメラにおける撮影動作のフローチャート。
【図６】この発明の第１の実施形態に係るデジタルカメラによって撮影される写真の内部構成を示す模式図。
【図７】この発明の第１の実施形態に係るデジタルカメラからメモリカードへ転送される信号のタイミングチャート。
【図８】この発明の第１の実施形態に係るメモリカードに記録される画像ファイルの構成を示す模式図。
【図９】この発明の第１の実施形態に係るメモリカードの備えるＮＡＮＤ型フラッシュメモリのメモリ空間の概念図。
【図１０】この発明の第１の実施形態に係るデジタルカメラの、主画像と副画像の判断方法のフローチャート。
【図１１】この発明の第１の実施形態に係るデジタルカメラからメモリカードへ転送される信号のタイミングチャート。
【図１２】この発明の第１の実施形態に係るデジタルカメラの備える表示部の表示画面の模式図。
【図１３】この発明の第１の実施形態に係るデジタルカメラにおける、写真再生アプリケーション実行時のフローチャート。
【図１４】この発明の第１の実施形態に係るデジタルカメラの備える表示部の表示画面の模式図。
【図１５】この発明の第１の実施形態に係るメモリカードに記録される画像ファイルの構成を示す模式図。
【図１６】この発明の第１の実施形態に係るデジタルカメラの備える表示部の表示画面の模式図。
【図１７】この発明の第２の実施形態に係るメモリカードへのデータ書き込み時のフローチャート。
【図１８】この発明の第２の実施形態に係るメモリカードが備えるＮＡＮＤ型フラッシュメモリの書き込み電圧の変化を示すグラフ。
【図１９】この発明の第３の実施形態に係るデジタルカメラ及びメモリカードのブロック図。
【図２０】この発明の第３の実施形態に係るデジタルカメラにおける撮影動作のフローチャート。
【図２１】この発明の第３の実施形態に係るデジタルカメラにおける、レンズ、撮像素子、及び手ぶれ補正部のブロック図。
【図２２】この発明の第３の実施形態に係るデジタルカメラにおける、時間に対する撮像素子及び手ぶれの速度を示すグラフ。
【図２３】この発明の第３の実施形態の変形例に係るデジタルカメラにおける、レンズ、撮像素子、及び手ぶれ補正部のブロック図。
【図２４】この発明の第４の実施形態に係るデジタルカメラ及びメモリカードのブロック図。
【図２５】この発明の第４の実施形態に係るデジタルカメラにおける撮影動作のフローチャート。
【図２６】この発明の第４の実施形態に係るデジタルカメラにおける、レンズ、撮像素子、及び手ぶれ補正部のブロック図。
【図２７】この発明の第４の実施形態に係るデジタルカメラにおける、焦点位置の変化を示すグラフ。
【図２８】この発明の第４の実施形態の変形例に係るデジタルカメラにおける、レンズ及び撮像素子のブロック図。
【図２９】この発明の第５の実施形態に係るデジタルカメラ及びメモリカードのブロック図。
【図３０】この発明の第５の実施形態に係るデジタルカメラにおける、写真再生アプリケーション実行時のフローチャート。
【図３１】この発明の第５の実施形態に係るメモリカードに記録される画像ファイルの構成を示す模式図。
【図３２】この発明の第５の実施形態に係るデジタルカメラの備える表示部の表示画面の模式図。
【図３３】この発明の第５の実施形態に係るデジタルカメラの備える対応テーブルの概念図。
【図３４】この発明の第５の実施形態に係るデジタルカメラの備える表示部の表示画面の模式図。
【図３５】この発明の第５の実施形態に係るデジタルカメラの備える表示部の表示画面の模式図。
【図３６】この発明の第５の実施形態に係るデジタルカメラの備える表示部の表示画面の模式図。
【図３７】この発明の第６の実施形態に係るデジタルカメラにおける、写真再生アプリケーション実行時のフローチャート。
【図３８】この発明の第６の実施形態に係るデジタルカメラの備える表示部の表示画面の模式図。
【図３９】この発明の第６の実施形態に係るデジタルカメラの備える表示部の表示画面の模式図。
【符号の説明】
【０１３０】
１０…デジタルカメラ、１１…レンズ、１２…撮像部、１３…画像処理部、１４…バッファメモリ、１５…表示部、１６…レリーズスイッチ、１７…制御部、１８…メモリカードスロット、１９…撮像素子、２０…手ぶれ補正部、２１…焦点補正部、２２…コントロールキー、３０…メモリカード、３１…ＮＡＮＤ型フラッシュメモリ、３２…カードコントローラ、３３…信号ピン、４０…ホストインタフェースモジュール、４１…ＭＰＵ、４２…フラッシュコントローラ、４３…ＲＯＭ、４４…ＲＡＭ、４５…バッファ、５０…メモリセルアレイ、５１…ロウデコーダ、５２…ページバッファ、５３…ＮＡＮＤセル、６０…選択バー、６１…カーソル
【図１】
2009071622.tif 000003
【図２】
2009071622.tif 000004
【図３】
2009071622.tif 000005
【図４】
2009071622.tif 000006
【図５】
2009071622.tif 000007
【図６】
2009071622.tif 000008
【図７】
2009071622.tif 000009
【図８】
2009071622.tif 000010
【図９】
2009071622.tif 000011
【図１０】
2009071622.tif 000012
【図１１】
2009071622.tif 000013
【図１２】
2009071622.tif 000014
【図１３】
2009071622.tif 000015
【図１４】
2009071622.tif 000016
【図１５】
2009071622.tif 000017
【図１６】
2009071622.tif 000018
【図１７】
2009071622.tif 000019
【図１８】
2009071622.tif 000020
【図１９】
2009071622.tif 000021
【図２０】
2009071622.tif 000022
【図２１】
2009071622.tif 000023
【図２２】
2009071622.tif 000024
【図２３】
2009071622.tif 000025
【図２４】
2009071622.tif 000026
【図２５】
2009071622.tif 000027
【図２６】
2009071622.tif 000028
【図２７】
2009071622.tif 000029
【図２８】
2009071622.tif 000030
【図２９】
2009071622.tif 000031
【図３０】
2009071622.tif 000032
【図３１】
2009071622.tif 000033
【図３２】
2009071622.tif 000034
【図３３】
2009071622.tif 000035
【図３４】
2009071622.tif 000036
【図３５】
2009071622.tif 000037
【図３６】
2009071622.tif 000038
【図３７】
2009071622.tif 000039
【図３８】
2009071622.tif 000040
【図３９】
2009071622.tif 000041